(57)【特許請求の範囲】
【請求項１】
カメラが取り付けられる取付部材と、この取付部材を揺動自在に支持する一対の支持ブラケットとを備え、
前記取付部材を、カメラが取り付けられる取付部とこの取付部の両端に互いに対向するように設けられた一対の支持部とによって断面コ字状に形成し、前記両支持部に第１のねじ孔および被支持片を設け、少なくとも一方の支持部に当接片を設け、
前記支持ブラケットに、前記被支持片が挿入され挿入された被支持片を揺動中心として前記取付部材を揺動自在に支持する支持溝と、この支持溝を中心として円弧状に形成されかつ前記第１のねじ孔に螺合されたガイドねじが挿通されこのガイドねじとの協働で前記取付部材の揺動動作をガイドする長孔とを設けるとともに、一方の前記支持ブラケットに、前記当接片に先端が当接する角度調整ねじが螺合する第２のねじ孔を設け、
前記カメラの自重により、常時前記当接片が前記角度調整ねじの先端に当接する方向に前記取付部材に揺動習性が付与されている
ことを特徴とするカメラの角度調整構造。
【請求項２】
前記支持ブラケットが固定されるベースを備え、
前記ベースがカメラが設置される設置空間の天井に取り付けられ、前記角度調整ねじが鉛直方向を指向している
ことを特徴とする請求項１記載のカメラの角度調整構造。
【発明の詳細な説明】
【技術分野】
【０００１】
本発明は、監視カメラ等の角度をカメラを設置する以前に調整するカメラの角度調整構造に関するものである。
【背景技術】
【０００２】
この種のカメラの角度調整構造としては、ケースに固定される回転座に突出面が曲面形成された突出部材が設けられ、カメラ側に突出部材の突出面に摺接する曲面が形成された湾曲部材が設けられ、湾曲部材を突出部材の突出面に摺接させながらカメラの角度を調整し、湾曲部材に形成した挿通孔に挿通させたねじを突出部材のねじ孔にねじ込むことにより、カメラを固定するものがある（例えば、特許文献１参照）。
【先行技術文献】
【特許文献】
【０００３】
【特許文献１】特開２００５−１６７９２２号公報（段落〔００２７〕〜〔００２９〕、図２）
【発明の概要】
【発明が解決しようとする課題】
【０００４】
上述したような従来のカメラの角度調整構造においては、角度調整を行う際には、湾曲部材を突出部材の突出面に摺接させながらカメラの角度を調整する作業と、湾曲部材の挿通孔にねじを挿通させ、そのねじを突出部材のねじ孔にねじ込む作業を同時に行わなければならないため、作業が煩雑となる。特に、カメラを設置空間の天井に取り付ける場合は、カメラの落下にも気を付けなければならないので、より一層作業が煩雑となるという問題があった。
【０００５】
本発明は上記した従来の問題に鑑みなされたものであり、その目的は、カメラの角度調整作業を容易にすることにある。
【課題を解決するための手段】
【０００６】
この目的を達成するために、本発明は、カメラが取り付けられる取付部材と、この取付部材を揺動自在に支持する一対の支持ブラケットとを備え、前記取付部材を、カメラが取り付けられる取付部とこの取付部の両端に互いに対向するように設けられた一対の支持部とによって断面コ字状に形成し、前記両支持部に第１のねじ孔および被支持片を設け、少なくとも一方の支持部に当接片を設け、前記支持ブラケットに、前記被支持片が挿入され挿入された被支持片を揺動中心として前記取付部材を揺動自在に支持する支持溝と、この支持溝を中心として円弧状に形成されかつ前記第１のねじ孔に螺合されたガイドねじが挿通されこのガイドねじとの協働で前記取付部材の揺動動作をガイドする長孔とを設けるとともに、一方の前記支持ブラケットに、前記当接片に先端が当接する角度調整ねじが螺合する第２のねじ孔を設け、前記カメラの自重により、常時前記当接片が前記角度調整ねじの先端に当接する方向に前記取付部材に揺動習性が付与されていることを特徴とするものである。
【０００７】
本発明は、前記発明において、前記支持ブラケットが固定されるベースを備え、前記ベースがカメラが設置される設置空間の天井に取り付けられ、前記角度調整ねじが鉛直方向を指向していることを特徴とするものである。
【発明の効果】
【０００８】
本発明によれば、カメラが取付部材を介して支持ブラケットに揺動自在に支持され、支持ブラケットからの脱落を規制された状態で、角度調整ねじを進退させることにより、カメラの角度が調整されるため角度調整が容易になる。また、カメラの自重により取付部材に揺動習性が付与されているため、揺動習性を付与するためのスプリング等が不要になるため、部品点数や組付け工数が削減され、構造が簡素化される。
【０００９】
前記発明のうちの一つの発明によれば、カメラが設置空間の天井から落下することなく、かつ角度調整ねじを鉛直方向に進退させることにより、カメラの角度を調整することができるから角度調整の作業性が向上する。
【図面の簡単な説明】
【００１０】
【図１】本発明に係るカメラの角度調整構造を採用したカメラ装置の全体の外観を示す斜視図である。
【図２】本発明に係るカメラの角度調整構造を採用したカメラ装置を分解して示す斜視図である。
【図３】本発明に係るカメラの角度調整構造の要部を示す斜視図である。
【図４】本発明に係るカメラの角度調整構造の要部を示す底面図である。
【図５】本発明に係るカメラの角度調整構造において、角度の調整の方法を説明するための図４におけるV-V 線断面図である。
【発明を実施するための形態】
【００１１】
以下、本発明の実施の形態を図１〜図５に基づいて説明する。図２に全体を符号１で示すカメラ装置は、カメラ２を覆うケース３と、カメラ２が実装されたカメラユニット４と、カメラユニット４を揺動自在に支持する支持ユニット５とによって構成されている。
【００１２】
ケース３は、背面側が開口された箱状に形成されており、前面部にはカメラ２のレンズ部が露呈される二つの窓１１が設けられ、両側部にはケース３を後述する支持ブラケット２３，２４に固定するための固定ねじ１２が挿通される挿通孔１３が形成されている。
【００１３】
カメラユニット４を構成する取付部材１５は、二つのカメラ２が下板１６を介して取り付けられる扁平で細長い長方形に形成された取付部１７と、この取付部１７の両端部に互いに対向するように折曲形成された支持部１８，１９とによって断面コ字状に形成されている。
【００１４】
両支持部１８，１９には、互いに対向する位置にガイドねじ２０が螺合される第１のねじ孔１８ａ，１９ａが形成されているとともに、互いに反対方向に（両支持部１８，１９の外側に向かって）突設された被支持片１８ｂ，１９ｂが折曲形成されている。一方の支持部１８には、被支持部１８ｂと同じ向き（支持部１８の外側）に突設された当接片１８ｃが折曲形成されている。
【００１５】
支持ユニット５は、カメラ装置１が設置される設置空間の天井７（図５参照）に四隅に設けたねじ孔２２ａを介して取り付けられるベース２２と、このベース２２に固定される支持ブラケット２３，２４とからなる。
【００１６】
一方の支持ブラケット２３は、互いに対向する支持壁２５，２６と、これら支持壁２５，２６間を連結する連結部２７とによって断面コ字状に形成されている。一方の支持壁２５の連結部２７と反対側の端部には、上記した取付部材１５の被支持片１８ｂが挿入される支持溝２８が設けられており、この支持溝２８は、図５に示すように支持壁２５の端部（図中下端）から連結部２７側に向かって末広がりの台形状に形成されている。したがって、この支持溝２８に挿入された被支持片１８ｂは、同図（Ｂ）、（Ｃ）に示すように、支持溝２８の開口部２８ａを揺動中心として、図中左右方向に角度αの範囲で揺動自在に支持される。
【００１７】
また、支持壁２５には、図２に示すように支持溝２８の開口部２８ａを中心とした円弧状に形成された長孔２９が設けられている。さらに、支持壁２５には、当該支持壁２５と直交する折曲片３０が折曲形成されており、この折曲片３０には角度調整ねじ３２が螺合する第２のねじ孔３０ａが設けられている。また、他方の支持壁２６の連結部２７と反対側の端部には、当該支持壁２６と直交する台座部３１が折曲形成されており、この台座部３１には、上記した固定ねじ１２が螺合する第３のねじ孔３１ａが設けられている。
【００１８】
他方の支持ブラケット２４は、互いに対向する支持壁３３，３４と、これら支持壁３３，３４間を連結する連結部３５とによって断面コ字状に形成されている。一方の支持壁３３の連結部３５と反対側の端部には、上記した取付部材１５の被支持片１９ｂが挿入される支持溝３６が設けられており、この支持溝３６は上記した支持溝２８と同じ形状である末広がりの台形状に形成されている。したがって、この支持溝３６に挿入された被支持片１９ｂは、上記した支持溝２８に挿入された被支持片１８ｂと同様に、支持溝３６の開口部３６ａを揺動中心として、角度αの範囲で揺動自在に支持されている。
【００１９】
また、支持壁３３には、上記した長孔２９と同様に、支持溝３６の開口部３６ａを中心とした円弧状に形成された長孔３７が設けられている。さらに、他方の支持壁３４の先端部には、当該支持壁３４と直交する台座部３８が折曲形成されており、この台座部３８には、上記した固定ねじ１２が螺合する第３のねじ孔３８ａが設けられている。
【００２０】
これら支持ブラケット２３，２４は、互いの支持壁２５，３３が対向するように連結部２７，３５を介してベース２２に取り付けられている。取り付けられた支持壁２５，３３の互いの支持溝２８，３６が対向するとともに、互いの長孔２９，３７が対向する。
【００２１】
次に、このように構成されたカメラ装置において、カメラの組立方法について説明する。先ず、図２において、カメラ２が実装された取付部材１５の被支持片１８ｂ，１９ｂのそれぞれを、ベース板２２に取り付けられた支持ブラケット２３，２４の支持溝２８，３６のそれぞれに挿入する。この状態で、図４に示すように、取付部材１５の両支持部１８，１９のそれぞれの外面が、支持ブラケット２３，２４の支持壁２５，３３のそれぞれの内面に対接される。
【００２２】
次いで、二つのガイドねじ２０，２０のそれぞれを、図２に示すように取付部材１５の第１のねじ孔１８ａ，１９ａのそれぞれに螺合させて仮締めし、これらガイドねじ２０の先端部を支持ブラケット２３，２４の長孔２９，３７に嵌入させる。このガイドねじ２０の長孔２９，３７への嵌入によって、カメラユニット４が支持ブラケット２３，２４に支持されて支持ブラケット２３，２４からの脱落を規制される。同時に、支持溝２８，３６に挿入された被支持片１８ｂ，１９ｂが支持溝２８，３６内で図５（Ｂ）、（Ｃ）において揺動可能なため、ガイドねじ２０と長孔２９，３７との協働により、カメラユニット４が被支持片１８ｂ，１９ｂ（支持溝２８の開口部２８ａ）を揺動中心として、支持ブラケット２３，２４に図中左右方向に角度αの範囲で揺動自在に支持される。揺動自在に支持されたカメラユニット４（取付部材１５）は、カメラ２の自重により同図（Ａ）において時計方向に回動習性が付与されている。
【００２３】
同時に、カメラユニット４の当接片１８ｃが、図３に示すように一方の支持ブラケット２３の折曲片３０に対向する。この状態で、角度調整ねじ３２を折曲片３０の第２のねじ孔３０ａに螺合させ、角度調整ねじ３２の先端を折曲片３０から突出させる。この状態で、カメラユニット４がカメラ２の自重により図５（Ａ）において、支持溝２８の開口部２８ａを回動中心として時計方向に回動習性が付与されているため、角度調整ねじ３２の先端に当接片１８ｃが当接し、カメラユニット４の回動が規制される。
【００２４】
次いで、カメラユニット４が支持ブラケット２３，２４を介して実装されたベース板２２を、カメラの設置空間の天井７に取付孔２２ａを挿通させたねじ（図示せず）によって取り付ける。この状態で、角度調整ねじ３２は、鉛直方向（図中上下方向）を指向する。
【００２５】
角度調整ねじ３２を回動操作し、折曲片３０から進出させると、同図（Ｂ）に示すように当接片１８ｃを介してカメラユニット４が支持溝２８の開口部２８ａを回動中心として反時計方向へ回動するため、カメラ２の光軸４０が鉛直方向よりも角度αだけ反時計方向へ傾く。一方、角度調整ねじ３２を回動操作し、折曲片３０内に後退させると、同図（Ｃ）に示すように当接片１８ｃを介してカメラユニット４が、カメラ２の自重により支持溝２８の開口部２８ａを回動中心として時計方向へ回動するため、カメラ２の光軸４０が鉛直方向よりも角度αだけ時計方向へ傾く。カメラ２の角度調整が終了したら、ガイドねじ２０，２０のそれぞれを、第１のねじ孔１８ａ，１９ａのそれぞれに本締めし、カメラユニット４を支持ブラケット２３，２４に固定する。
【００２６】
この調整では、上述したようにカメラユニット４が支持ブラケット２３，２４からの脱落を規制された状態で行われるため、調整作業が容易となる。しかも、角度調整ねじ３２が鉛直方向を指向しているため、角度調整ねじ３２の直下で作業する作業者にとって、角度調整ねじ３２の進退作業の作業性が向上する。また、カメラ２の自重によりカメラユニット４に回動習性を付与させているため、回動習性を付与するためのスプリング等が不要になるため、部品点数や組付け工数が削減され、構造が簡素化される。
【００２７】
カメラ２の角度調整が終了したら、図２に示すようにケース３によってカメラユニット４を覆い、挿通孔１３を挿通させた固定ねじ１２を支持ブラケット２３，２４の第３のねじ孔３１ａ，３８ａに螺合させることにより、図１に示すようにケース３を取り付ける。
【００２８】
なお、本実施の形態においては、角度調整ねじ３２を一方の支持ブラケット２３側に設けたが、他方のブラケット２４側に設けるようにしてもよく、あるいは両支持ブラケット２３，２４の両方に設けるようにしてもよい。また、カメラ２の角度調整の終了後に、ガイドねじ２０，２０のそれぞれを、第１のねじ孔１８ａ，１９ａのそれぞれに本締めし、カメラユニット４を支持ブラケット２３，２４に固定するようにしたが、カメラ２を設置する設置空間にがたつき等がない場合は、ガイドねじ２０を仮締めしたままの状態としてもよい。
【符号の説明】
【００２９】
１…カメラ装置、２…カメラ、４…カメラユニット、７…天井、１５…取付部材、１７…取付部、１８，１９…支持部、１８ａ，１９ａ…第１のねじ孔、１８ｂ，１９ｂ…被支持片、１８ｃ…当接片、２０…ガイドねじ、２２…ベース板、２３，２４…支持ブラケット、２５，３３…支持壁、２８，３６…支持溝、２９，３７…長孔、３０ａ…第２のねじ孔、３２…角度調整ねじ、４０…光軸。
【図１】
0005704041.tif 000002
【図２】
0005704041.tif 000003
【図３】
0005704041.tif 000004
【図４】
0005704041.tif 000005
【図５】
0005704041.tif 000006